(57)【要約】【課題】接着テープを容易に剥せるようにテープ端部が折り返されて接着面側が互いに重合することで剥離代を形成することができ、テープ端の折り返し形状はテープカットラインに平行な全面折り返し重合と、テープ端の左右の角部に対する左右それぞれの角折り返し重合があり又通常のテープカッター同様に一重のテープ片も得られるテープ端重合カッターを提供する。【解決手段】上下移動するカッター刃の後方に設置され回転する受台の上に第１テープ受及び第２テープ受及びテープ支持部がありカッター刃の上下移動に連動してカッター刃と第１テープ受の間を第２テープ受及びテープ支持部が前後移動し、テープ切断直前に第２テープ受はカッター刃に最接近し、テープ切断されるとカッター刃は上限位置に戻り第２テープ受は後方にある第１テープ受に最接近した位置に戻ることで、受台の回転制止角度の可変により第１テープ受の前上側にテープ端の全重合、左角重合、右角重合、一重の各形成ができることを特徴とするテープ端重合カッター。【選択図】図１
2012201508.tif 000002
【特許請求の範囲】
【請求項１】
テープカッター本体の前面に接近した位置にカッター刃があり前記カッター刃後方に台座を有し前記台座の上側平面に第１テープ受と第２テープ受を設け前記第１テープ受は固定式で前記第２テープ受は移動式になっていて当初第２テープ受は第１テープ受の直前にあって、テープがカッター刃に当接すると第２テープ受は第１テープ受より離れてカッター刃に接近移動し第１テープ受と第２テープ受の間隙が広がり第１及び第２テープ受にテープ接着面が貼付くと第１及び第２テープ受の間隙には無接着テープ部ができて、テープ切断されると第２テープ受はテープカットラインを先端としてテープが接合維持した状態で瞬時にカッター刃より離れて固定されている第１テープ受に接近移動して前記無接着テープ部が第１テープ受と第２テープ受の間の上部、又は第２テープ受前上部に湾曲することでテープ端の接着面が互いに接合してループ形状のテープ端重合部が剥離代として形成されることを特徴とするテープ端重合カッター。
【請求項２】
前記カッター刃の下方側にカッター刃と一体となって上下方向に移動可能なスライド板を設け前記スライド板は戻しバネにより上方向に弾発付勢されていて、テープをカッター刃に当接させて下方に引くと前記戻しバネの弾発に押圧対抗しながら前記スライド板が下方向に移動し、スライド板の後面側にはラック部が設けてあり、前記第２テープ受はピニオン部を有する形成体に設けられて前記ラック部と前記ピニオン部が噛合って連動し前記形成体は固定軸に支持され第２テープ受が前方向に回転移動しながらカッター刃に接近し、テープが切断されるとスライド板の押圧が開放されて前記バネの弾発でスライド板は戻されて瞬時に上方向に移動すると共に第２テープ受は後方向に回転移動して第１テープ受に接近しテープ端部が第１テープ受と第２テープ受の間の上部、又は第２テープ受前上部に湾曲することでテープ端の接着面が互いに接合してループ形状のテープ端重合部が形成されることを特徴とする請求項１記載のテープ端重合カッター。
【請求項３】
前記形成体にテープ支持部を設け、テープ切断される直前に前記第１テープ受と前記第２テープ受の上面間に在るテープ端部の裏面のテープ接着面側を前記テープ支持部の上端が若干押上げてテープ端部の垂れ下がりを防ぎテープ端重合のループ形状が第１テープ受と第２テープ受の上面間、又は第１テープ受の前上部に確実に形成されることを特徴とする請求項２記載のテープ端重合カッター。
【請求項４】
前記形成体と前記固定軸、及び前記第１テープ受と前記第２テープ受の構成を形成支持体の上に設けて前記形成支持体を前記台座の中央上部に平面設置して形成支持体の中央部を軸心として形成支持体が回転制止することで、第１及び第２テープ受にはテープ接着面がテープのカットラインに対し不平行に接合可能となり、形成支持体の回転角度を変化させることでテープ端の重合形状の形成は無制限に可能となることを特徴とする請求項２記載のテープ端重合カッター。
【請求項５】
前記形成支持体の回転角度を数種設定して、それぞれの設定した角度位置で制止する機構を備えテープ端重合形状の種類形成を切替選択可能にすると共に切替選択の位置によりスライド板が係止状態に保たれることでテープ重合形成の無い従来同様の一重のテープ切断も兼用可能であることを特徴とする請求項４記載のテープ端重合カッター。
【発明の詳細な説明】
【技術分野】
【０００１】  本発明は貼り付けた接着テープを容易にはがせるようにテープカット後にテープ端部が折り返されて接着面側が互いに重合することで剥離代としての非接着部分を形成することができ、テープ端の折り返し形状はテープカットラインに平行な全面折り返しと、テープ端の左右のそれぞれの角部に対する左角折り返し及び右角折り返しがあり、更に通常のテープカッター同様の折り返し無しのテープ切断もできるテープ端重合カッターに関するものである。
【背景技術】
【０００２】  従来一般的なテープカッターは、テープ切断刃を設けたテープカッター本体にロール状の接着テープを装填する回転リールとから構成されている。
このようなテープカッターでカットされた接着テープ片は、そのテープ片全体が接着対象物に貼着されるため、貼着されたテープの剥離が甚だ困難である。このため貼着後に剥離が予定されている場合、テープ端に紙テープ片を貼り合わせることで接着不能な非接着部分としての剥離代を形成するようにしたテープカッターが提案されているが、紙テープの送り機構を設けることで複雑化を伴うと共に、接着テープの他に紙テープも装填することになり手間や費用もかかることになる。
他方、接着テープの端部を若干接着面側に折り返し貼り合わせることにより非接着部分を形成するようにしたテープカッターが提案されているが、半ば手動式となり作業性が悪く剥離代の製作に困難を伴う。そこで、例えば、特開２００３−０８９４６６号公報に開示されているように、切断後の接着テープ端が折り返されて接着面を互いに重合させる方式として簡便かつ迅速に非接着部分を形成することのできるテープカッターが提案されている。
【発明の概要】
【発明が解決しようとする課題】
【０００３】  しかしながら上記公報所載のテープカッターは、テープ端の折り返し重合による非接着部分の形成が不確実であること、及び形成された非接着部分を掴んでテープを引き出すときに指先等が切断刃に触れ易いという不具合がある。前記非接着部分の形成が不確実である理由としてテープを引き出してテープを弾性板上部の第２のテープ受部に接触させた状態で手前に引っ張り弾性板を湾曲させながら切断刃に押し当てテープ切断する操作は常に動きを意識しながらの操作であるために作業性が悪い、又テープカットされて第２のテープ受部が戻るとき第１のテープ受部と第２のテープ受部との間の非接着形成部分が自重で垂れて下方向に折り曲がりテープ重合形成ができない状態が発生し、更にはテープを引き出す力と切断力との関係で第２のテープ受を所定位置まで引き終える以前にテープが切断される不具合もある。
本発明は上記のような従来技術の問題点を解決すると共に、テープ端形状形成が切替ツマミを操作することでテープ端の重合形状がテープカットラインに平行な全面重合形成、及びテープカットラインに不平行な角部重合形成されることを可能にするもので、切断後の接着テープの端部を自動的に折り返して接着面側を互いに貼り合せることで接着テープ端部に剥離代としての非接着部分を容易に迅速且つ確実に又安全にテープ端重合形成されたテープ片を得ることができるテープ端重合カッターを提供することを目的とするものである。
【課題を解決するための手段】
【０００４】本発明はテープカッター本体の前面に近接した位置の左右間にカッター刃を設け、該カッター刃の後方に第１テープ受と第２テープ受を設けていて第１テープ受はテープカッター本体の左右間に凸形状を成し固設され、第２テープ受は第１テープ受に平行で凸形状を成し前記カッター刃と第１テープ受の間を前後移動可能になっていて、当初第２テープ受は第１テープ受の直前にあって、テープをカッター刃に当接し押圧することでカッター刃に連動して第２テープ受が前方に移動し、第２テープ受は第１テープ受から離れ第１テープ受と第２テープ受の間隔が広がり、カッター刃に第２テープ受が最接近した位置でテープは第１テープ受の上面に貼付き続いて第２テープ受の上面に貼付いて第２テープ受と第１テープ受の隙間には無接着テープ部ができて、テープが切断されると瞬時にカッター刃がテープの押圧から解放されてカッター刃に連動した第２テープ受が後方に移動して第２テープ受はテープ端のカットラインを先端に第１テープ受に最接近移動し第１テープ受と第２テープ受の間が狭まり前記無接着テープ部は第１テープ受と第２テープ受の間の上部、又は第２テープ受上部後方で撓んで湾曲した形状となり折返されて無接着テープ部の接着面が互いに接合しテープ端にループ形状の重合部が非接着部として形成され剥離代となるテープ端重合カッター。【０００５】  前記カッター刃の下方にカッター刃と一体となって上下方向に移動可能なスライド板を設け該スライド板の後面左右の上部には左右対称形の円弧状のラックが設けてあり、スライド板の下方はテープカッター本体の底に設けた戻しバネにより上方向に弾発付勢されていて、前記ラックはテープカッター本体の左右間に設けた固定軸を中心に前後回転可能な形成体の回転方向に設けた左右対称の円弧状のピニオンと噛合い連動していて、カッター刃にテープを当接押圧すると前記戻しバネの弾発に対抗しながら前記スライド板が下方向に移動して前記形成体に設けた第２テープ受が前方向に回転移動しながらカッター刃に接近する、テープが切断されるとスライド板の押圧が開放されて前記バネの弾発でスライド板は戻されて瞬時に上方向に移動すると共に第２テープ受は逆回転しながら後方の第１テープ受に接近することでテープ端にループ形状の重合部が剥離代として形成される上記テープ端重合カッター。【０００６】  前記形成体の第２テープ受の平行後方に凸形状のテープ支持部を設け、該テープ支持部の上面が前記第１テープ受と第２テープ受の隙間に有する前記無接着テープ部のテープ接着面側を押上げ支持することで無接着テープ部が上方にアーチ状を成しテープ端部の垂れ下がりによる下方へのループ形成を防ぎ、テープ端重合のループ形状が第１テープ受と第２テープ受の上部、又は第１テープ受の前上部に確実に形成される。【０００７】  テープカッター本体の前面と平行にカッター刃が設けてあり該カッター刃の後方左右間に四角平面を有する台座を設け該台座の上面に形成支持体を設け該形成支持体の上部には前記第２テープ受を有する前記形成体と前記固定軸及び前記第１テープ受の全構成を備えていて左右対称形である形成支持体の中央にある嵌合軸が台座の中央にある支持穴に嵌合して前記形成支持体は前記嵌合軸を中心として回動可能になって、テープカッター本体の平面上の左右中心線に対し形成支持体の左右中心線を傾けることが可能となり、この場合第１及び第２テープ受に貼付けられるテープ接着面がテープのカットラインに対し不平行となりテープカットされるとテープ端は斜め後方に移動してテープ端の角部が三角形状に重合形成されテープ端の角部のみが剥離代となることでテープ端の剥離代が全重合の場合に比べ被対象物に対してテープ端の貼付きを強くすることができるテープ端重合カッター。【０００８】  前記形成支持体の回転停止位置を５箇所設定して、各停止位置に制止するための位置決台を前記台座の下方に平行して設け該位置決台と形成支持体は前記嵌合軸により連結していて共に回転移動し、前記位置決台に制止孔を設けて台座に固定されたバネ効果を有する制止板の突起が前記制止孔に嵌り係止して位置決制止位置で確実に制止でき、又位置決台に位置決軸を設け該位置決軸がスライド板の貫通孔であるスライド係止孔を貫いて位置決軸の先端に切替レバーを設けテープカッター本体の前面で位置決め操作が可能で、スライド係止孔は切替のための位置決軸の左右ストローク、或はスライド板の上下ストロークに対してスライド板と位置決軸が干渉しないと共に、重合形成を必要としない従来形の一重テープ端の場合はスライド板が上端位置を維持係止するために凹型のスライド止を有し、前記切替レバーにより５ポジションの選択が可能で各ポジションによるテープ端の形成はテープカッター本体の前面右側よりそれぞれテープ端の右角重合、一重、全重合、一重、左角重合となっている。
【発明の効果】
【０００９】  以上説明したようにこのテープ端重合カッターはテープ剥離代となるテープ端重合形状が無制限に又確実に形成可能で、扱い易いくテープ剥離代が連続に簡便且つ迅速に形成できる、優れた効果がある。
【図面の簡単な説明】
【００１０】
【図１】テープカッター本体前方部分解斜視図
【図２】テープカッター本体外観図
【図３】テープ端全面重合形成の開始状態図
【図４】テープ端全面重合形成の中間状態図
【図５】テープ端全面重合形成の完了状態図
【図６】テープ端右角重合形成の開始状態図
【図７】テープ端右角重合形成の中間状態図
【図８】テープ端右角重合形成の完了状態図
【図９】テープ端左角重合形成の開始状態図
【図１０】テープ端左角重合形成の中間状態図
【図１１】テープ端左角重合形成の完了状態図
【図１２】テープ端一重形成の状態図（右側選択）
【図１３】テープ端一重形成の状態図（左側選択）
【図１４】テープ重合完成図
【発明を実施するための形態】
【００１１】  テープ端重合カッターの前後方向の関係はカッター刃６の取付け側を前面として観た状態で説明する。まず当発明の構成について説明すると、前方に有するカッター刃６とスライド板５は一体型でテープカッター本体１の最前側内面と台座１ａの前側面の間にスライド溝１ｄがあって該スライド溝１ｄにスライド板５の上方が嵌り下方が底板１３のガイド溝１３ｂに嵌りスライド板５は上下スライド移動を保持されて、戻しバネ１２がスライド板５のバネ支持ガイド５ｅ及び５ｆに挿入され戻しバネ１２は底板１３のガイド受台１３ａの上面に係止されスライド板５は上方に弾発付勢されている。
【００１２】  スライド板５の後面と接する台座１ａの上平面にはテープ重合を形成するための形成支持体３と形成体４と固定軸７があり形成支持体３には第１テープ受３ｃを有し、形成体４の回転軸穴４ａに固定軸７が挿入され固定軸７の両端は形成支持体３の軸固定穴３ａに嵌合固定されて、形成体４の前方に設けたピニオン部４ｄとスライド板５の後面側の上方に設けたラック部５ａが噛合い連動していて、形成体４に設けた第２テープ受４ｂは第１テープ受３ｃに平行でカッター刃６と第１テープ受３ｃの間を回転往来移動する。
【００１３】  第１テープ受３ｃ及び第２テープ受４ｂの上面はテープ端の貼付面であって、第１テープ受３ｃの上面形状は長方形の両端部分を後方向に４５°折り曲げた〔形状で左右対称形をなし前方の辺の長さがテープ幅程になっていて前後２辺間の間隔は２〜４ｍｍ程になっている。第２テープ受４ｂの上面形状は等脚台形をなし平行する２辺間は２〜３ｍｍ程であって２辺のうち短い辺が前方になっていて等脚台形の不平行な辺との交角（等脚台形の内角）は１３５°をなしている。
【００１４】  形成支持体３の受台３ｅの下方側には嵌合軸３ｄを有していて台座１ａの中央には嵌合軸３ｄを回転自在に保持する支持穴１ｂが有って嵌合軸３ｄの先端は支持穴１ｂを貫けて台座１ａ裏面下方に設けた位置決台２の中央の嵌孔２ａに嵌止固定され、嵌合軸３ｄを中心として位置決台２を回動させる位置決軸８があって、位置決台２と一体となった形成支持体３の角度を可変するために調整バネ９が角棒状の前記位置決軸８の先端より挿入され後端部で係止され、位置決軸８の先端は位置決台２の下部に有する水平な角穴状のガイド穴２ｂを貫通してスライド板５の中央部に設けたスライド係止孔５ｂを貫けて更にテープカッター本体１の最前面にある左右に弓長状の調節穴１ｃを貫けて切替レバー１０に嵌合固定される。
【００１５】  切替レバー１０を左右に移動することで形成支持体３も回転してテープカッター本体１の正面を中央として左右間を９０°動き、この間を４等分した各角度に形成支持体３の制止孔２ｃが位置決台２の側部に５箇所設けてあり、台座１ａの細長い固定穴１ｅに弾性体を成す制止板１１の上方が嵌止されていて制止板１１の端部に設けた突起１１ａが何れかの制止孔２ｃに嵌ることで位置決台２が定位置で確実に制止するようになっている。
【００１６】  切替レバー操作で５個所の定位置に制止して、切替レバー１０がカッター刃６に対し中央位置では第１テープ受はカッター刃６と平行となり０°、カッター刃６に対し右端では右に４５°、左端では左に４５°、中央位置と右端の間では右に２２．５°、中央位置と左端の間では左に２２．５°のそれぞれに切り替わり、切替レバー制止位置によるテープ重合形成の形状は右側から右角重合、一重、全端重合、一重、左角重合となっている。
【００１７】スライド板５の中央に山形状を成すスライド係止孔５ｂに対して、切替レバー１０の位置が中央の（全端重合）及び左右両端の（右角重合、左角重合）にある場合、上下スライド移動範囲はスライド係止孔５ｂの下端と位置決軸８の下端が係止する位置からスライド係止孔５ｂの上端と位置決軸８の上面側が当接係止するまでの範囲となり、切替レバー１０が中央位置と右端間又は左端間（一重）にある場合はスライド係止孔５ｂの下端と位置決軸８の下端が係止すると共に位置決軸８の上面側はスライド止５ｃ、又はスライド止５ｄの下端に当接係止して位置決軸８は上下方向に挟止された状態となってスライド板５と一体であるカッター刃６を上方向より押圧してもスライド板５はスライド移動不可となり上限位置に留めている。
【００１８】  切替レバー１０の操作により形成支持体３の嵌合軸３ｄを中心に台座１ａの上面を左右に９０°程の範囲で回動するとき形成体４のピニオン部４ｄは円弧軌跡を画く円弧状のピ二オン形状になっていて、この円弧に沿うようにカッター刃６と一体となったスライド板５のラック部５ａも円弧形状をなしている。
【００１９】  次にテープ端の重合形成における操作方法、及び作動状態を説明する、テープカッター本体１の前面にある調節穴１ｃの上側右端より「右角」、「単」、「全」、「単」、「左角」の順に銘記表示１４されていて切替レバー１０はこれら銘記位置に制止して、各位置におけるテープ端の形状について、「右角」はテープ端右角重合、「単」はテープ端一重、「全」はテープ端全面重合、「左角」はテープ端左角重合を意味する。
【００２０】  図３〜図５及び図１４に示すように、切替レバー１０を中央の「全」位置に合わせると形成支持体３の第１テープ受３ｃはカッター刃６に対し平行でテープＴの引き出し方向に対し直交している状態で、テープ切断時にテープＴがカッター刃６に当接する位置ではテープＴは第１テープ受３ｃの上面中央に貼付いてテープを下方に引いていくとカッター刃６は下方にスライド移動すると共に形成体４が回転して第１テープ受３ｃに平行な第２テープ受４ｂが前方に移動を開始しカッター刃６が下限近くまでスライド下降した位置で第２テープ受４ｂはカッター刃６に平行に極接近してテープＴが第２テープ受４ｂの上面中央に貼付くと共にテープ支持部４ｃ上端が第１テープ受３ｃと第２テープ受４ｂの間のテープ端下面（接着面側）を若干押上げている状態となりカッター刃６がスライド下限位置になると形成体４の回転は止まり図３の様になって、第１テープ受３ｃと第２テープ受４ｂの間は１０ｍｍ程になっている。
【００２１】  続けてテープＴを下方向へ引いていくとテープＴはカッター刃６により切断されてカッター刃６は上昇開始すると共に形成体４は後方向に回転して第２テープ受４ｂがカッター刃６より離れテープ端の中間部をテープ支持部４ｃが押上げたテープ端の位置を頂点としてテープ端は上方向へ湾曲して図４の様な形状となりテープ端はテープ支持部４ｃより離れてカッター刃６が上限に近づくと第２テープ受４ｂは第１テープ受３ｃに極接近して湾曲状のテープ端はテープ接着面が互いに貼り合わさると同時に第２テープ受４ｂに貼付いたテープ端部は剥がれてゆきカッター刃６が上限に達すると第２テープ受４ｂは若干下方向に移動してテープ端部は第２テープ受４ｂから全て剥離され第１テープ受３ｃの前上側にループ状のテープ重合部Ｔａが図５及び図１４の様に形成される。
【００２２】  図６〜図８及び図９〜図１１に示すように、切替レバー１０を右端の「右角」位置に合わせた場合及び左端の「左角」位置に合わせた場合とでは操作方向及び動作状態が左右対称であって、形成支持体３の第１テープ受３ｃはカッター刃６に対し４５°傾きテープＴの引き出し方向に対しても４５°をなし、テープ切断時にテープＴがカッター刃６に当接する位置ではテープＴは第１テープ受３ｃの上面の中央より片側に貼付いて、テープＴを下方に引くとカッター刃６は下方にスライド移動すると共に形成体４が回転して第２テープ受４ｂは４５°前方に移動を開始しカッター刃が下限近くまでスライド下降した位置で第２テープ受４ｂ上面の等脚台形の不平行な辺とカッター刃６が平行接近してテープＴは第２テープ受４ｂの上面片側に貼付くと共にテープ支持部４ｃの上端が第１テープ受３ｃと第２テープ受４ｂの間のテープ端下面側（接着面側）を若干押上げている状態となりカッター刃６がスライド下限位置になると形成体４の回転は止まり「右角」位置に合わせた場合は図６の様になり、「左角」位置に合わせた場合は図９の様になって、第１テープ受３ｃと第２テープ受４ｂの間は１０ｍｍ程になっている。
【００２３】  続けてテープＴを下方向へ引いていくとテープＴはカッター刃６により切断されてカッター刃６は上昇開始すると共に形成体４は後方向に回転して第２テープ受４ｂがカッター刃６に対し４５°後方へ移動しながら離れテープ支持部４ｃが押上げたテープ端の位置を頂点としてテープ端の先端角部は上方向へ湾曲した図７又は図１０の様な形状となりテープ支持部より離れてカッター刃６が上限に接近すると第２テープ受４ｂが第１テープ受３ｃに極接近し湾曲状のテープ端の先端角部はテープ接着面が互いに貼り合わさると同時に第２テープ受４ｂに接合したテープ先端角部が剥がれはじめカッター刃６が上限に達すると第２テープ受４ｂは若干下方向に移動してテープ端の先端角部は第２テープ受４ｂから全て剥離され、切替レバー１０を右端の「右角」位置に合わせた場合は第１テープ受３ｃの右前上側に三角形状をなすループ状のテープ重合部Ｔｌが図８及び図１４の様に形成され、切替レバー１０を左端の「左角」位置に合わせた場合は第１テープ受３ｃの左前上側に三角形状をなすループ状のテープ重合部Ｔｒが図１１及び図１４の様に形成される。
【００２４】  図１２〜図１３に示すように、切替レバー１０を「全」と「左角」の中間位置、及び「全」と「右角」の中間位置の「単」に合わせた場合はそれぞれの操作方向及び動作状態が全て左右対称であってカッター刃６に対し第１テープ受３ｃはそれぞれ２２．５°をなしテープをカッター刃６に当てた位置で第１テープ受３ｃにテープＴが接合しテープＴをカッター刃６に当て下方に引いてもカッター刃６は下方に移動せず固定状態となり形成体４も作動することなく通常のテープカッターと同様の扱いとなり、テープＴを更に下方に引くとテープＴは通常のテープカッターと同様に一重のテープ片として切断される。
【符号の説明】
【００２５】１      テープカッター本体
１ａ    台座
１ｂ    支持穴
１ｃ    調節穴
１ｄ    スライド溝
１ｅ    固定穴
２      位置決台
２ａ    嵌孔
２ｂ    ガイド穴
２ｃ    制止孔
３      形成支持体
３ａ    軸固定穴
３ｂ    軸固定穴
３ｃ    第１テープ受
３ｄ    嵌合軸
３ｅ    受台
４      形成体
４ａ    回転軸穴
４ｂ    第２テープ受
４ｃ    テープ支持部
４ｄ    ピニオン部
５      スライド板
５ａ    ラック部
５ｂ    スライド係止孔
５ｃ    スライド止
５ｄ    スライド止
５ｅ    バネ支持ガイド
５ｆ    バネ支持ガイド
５ｇ    カッター固定孔
６      カッター刃
６ａ    カッター固定部
７      固定軸
８      位置決軸
９      調整バネ
１０    切替レバー
１１    制止板
１１ａ  突起
１２    戻しバネ
１３    底板
１３ａ  ガイド受台
１３ｂ  ガイド溝
１４    銘記表示
Ｔ      テープ
Ｔａ    テープ端全面重合
Ｔｌ    テープ端左角重合
Ｔｒ    テープ端右角重合
Ｒ      リール
【図１】
2012201508.tif 000003
【図２】
2012201508.tif 000004
【図３】
2012201508.tif 000005
【図４】
2012201508.tif 000006
【図５】
2012201508.tif 000007
【図６】
2012201508.tif 000008
【図７】
2012201508.tif 000009
【図８】
2012201508.tif 000010
【図９】
2012201508.tif 000011
【図１０】
2012201508.tif 000012
【図１１】
2012201508.tif 000013
【図１２】
2012201508.tif 000014
【図１３】
2012201508.tif 000015
【図１４】
2012201508.tif 000016
【手続補正書】
【提出日】平成23年10月28日(2011.10.28)
【手続補正１】
【補正対象書類名】明細書
【補正対象項目名】全文
【補正方法】変更
【補正の内容】
【発明の詳細な説明】
【技術分野】
【０００１】  本発明は貼り付けた接着テープを容易にはがせるようにテープカット後にテープ端部が折り返されて接着面側が互いに重合することで剥離代としての非接着部分を形成することができ、テープ端の折り返し形状はテープカットラインに平行な全面折り返しと、テープ端の左右のそれぞれの角部に対する左角折り返し及び右角折り返しがあり、更に通常のテープカッター同様の折り返し無しのテープ切断もできるテープ端重合カッターに関するものである。
【背景技術】
【０００２】  従来一般的なテープカッターは、テープ切断刃を設けたテープカッター本体にロール状の接着テープを装填する回転リールとから構成されている。
このようなテープカッターでカットされた接着テープ片は、そのテープ片全体が接着対象物に貼着されるため、貼着されたテープの剥離が甚だ困難である。このため貼着後に剥離が予定されている場合、テープ端に紙テープ片を貼り合わせることで接着不能な非接着部分としての剥離代を形成するようにしたテープカッターが提案されているが、紙テープの送り機構を設けることで複雑化を伴うと共に、接着テープの他に紙テープも装填することになり手間や費用もかかることになる。
他方、接着テープの端部を若干接着面側に折り返し貼り合わせることにより非接着部分を形成するようにしたテープカッターが提案されているが、半ば手動式となり作業性が悪く剥離代の製作に困難を伴う。そこで、例えば、特開２００３−０８９４６６号公報に開示されているように、切断後の接着テープ端が折り返されて接着面を互いに重合させる方式として簡便かつ迅速に非接着部分を形成することのできるテープカッターが提案されている。
【発明の概要】
【発明が解決しようとする課題】
【０００３】  しかしながら上記公報所載のテープカッターは、テープ端の折り返し重合による非接着部分の形成が不確実であること、及び形成された非接着部分を掴んでテープを引き出すときに指先等が切断刃に触れ易いという不具合がある。前記非接着部分の形成が不確実である理由としてテープを引き出してテープを弾性板上部の第２のテープ受部に接触させた状態で手前に引っ張り弾性板を湾曲させながら切断刃に押し当てテープ切断する操作は常に動きを意識しながらの操作であるために作業性が悪い、又テープカットされて第２のテープ受部が戻るとき第１のテープ受部と第２のテープ受部との間の非接着形成部分が自重で垂れて下方向に折り曲がりテープ重合形成ができない状態が発生し、更にはテープを引き出す力と切断力との関係で第２のテープ受を所定位置まで引き終える以前にテープが切断される不具合もある。
本発明は上記のような従来技術の問題点を解決すると共に、テープ端形状形成が切替ツマミを操作することでテープ端の重合形状がテープカットラインに平行な全面重合形成、及びテープカットラインに不平行な角部重合形成されることを可能にするもので、切断後の接着テープの端部を自動的に折り返して接着面側を互いに貼り合せることで接着テープ端部に剥離代としての非接着部分を容易に迅速且つ確実に又安全にテープ端重合形成されたテープ片を得ることができるテープ端重合カッターを提供することを目的とするものである。
【課題を解決するための手段】
【０００４】  本発明はテープカッター本体の前面に近接した位置の左右間にカッター刃を設け、該カッター刃は上下移動自在で弾性体により上方向に付勢されていてカッター刃の後方の台座上に第１テープ受と第２テープ受を設けていて該第１テープ受はテープカッター本体の左右間に固設され、前記第２テープ受は前記カッター刃に連動していて第１テープ受に平行で前記カッター刃と第１テープ受の間を前後移動可能になっていて、当初第２テープ受は第１テープ受の直前にあって、テープをカッター刃に当接し押圧することでカッター刃は弾性体の弾発に対向して下方に押され移動しカッター刃に連動する第２テープ受が前方に移動し、第２テープ受は第１テープ受から離れ第１テープ受と第２テープ受の間隔が広がり、カッター刃に第２テープ受が最接近した位置でテープは第１テープ受の上面に貼付き続いて第２テープ受の上面に貼付いて第２テープ受と第１テープ受の隙間には無接着テープ部ができカッター刃が下端位置になるとテープが切断され瞬時にカッター刃がテープの押圧から解放されて上昇しカッター刃に連動した第２テープ受が後方に移動して第２テープ受はテープ端のカットラインを先端に第１テープ受に最接近移動し第１テープ受と第２テープ受の間が狭まり前記無接着テープ部は第１テープ受と第２テープ受の間の上部、又は第２テープ受上部後方で撓んで湾曲した形状となり折返されて無接着テープ部の接着面が互いに接合しテープ端にループ形状の重合部が非接着部として形成され剥離代となるテープ端重合カッター。【０００５】  前記カッター刃の下方にカッター刃と一体となって上下方向に移動可能なスライド板を設け該スライド板の後面の上部にはラックが設けてあり、スライド板の下方はテープカッター本体の底に設けた戻しバネにより上方向に弾発付勢されていて、テープカッター本体の左右間に設けた固定軸を基に前後回転可能で第２テープ受を有する形成体を設け、該形成体の回転方向に設けたピニオンと前記ラックは噛合い連動していて、カッター刃にテープを当接押圧すると前記戻しバネの弾発に対抗しながら前記スライド板が下方向に移動して前記形成体に設けた第２テープ受が前方向に回転移動しながらカッター刃に接近して、スライド板が下端位置になるとテープが切断されてスライド板の押圧が開放されて前記バネの弾発でスライド板は戻されて瞬時に上方向に移動すると共に第２テープ受は逆回転しながら後方の第１テープ受に接近することでテープ端にループ形状の重合部が剥離代として形成される上記テープ端重合カッター。【０００６】  前記形成体の第２テープ受に平行後方にテープ支持部を設け、前記第１テープ受と第２テープ受の隙間に有する前記無接着テープ部であるテープ端のテープ面中央位置のテープ接着面側を前記テープ支持部が若干押し上げ支持されて無接着テープ部が下方に垂れ下がることを防ぎ、テープ端が湾曲形状の状態から接着面の互いが重なる過程で、第１テープ受と第２テープ受の間に存在するテープ支持部は下方向に回転移動し第１テープ受と第２テープ受の間より脱することで第２テープ受は第１テープ受に接近することが可能となり、テープ端重合のループ形状が第１テープ受と第２テープ受の上部、又は第１テープ受の前上部に確実に形成される［０００５］記載のテープ端重合カッター。【０００７】  テープカッター本体のカッター刃の後方に平面を有する台座の上面に前記第１テープ受と前記固定軸を支持する軸固定穴を有した形成支持体を設け前記形成体は該形成支持体の上部で固定軸に支持され前後回動自在で形成支持体の下方側の中央下方向には嵌合軸を有し該嵌合軸は台座の中央に設けた支持穴を貫通して前記形成支持体は前記嵌合軸を基に左右回動自在で、更に嵌合軸は形成支持体の左右回動制止位置を決める位置決台に固定され該位置決台と形成支持体は一体として左右回動自在で位置決台に設けた制止孔に台座へ固定されたバネ効果を有する制止板の突起が嵌り係止して形成支持体は制止位置で確実に制止でき、又位置決台に位置決軸を設け該位置決軸がスライド板に設けたスライド係止孔を貫通し更にテープカッター本体前面の調節穴を貫通して位置決軸の先端に切替レバーを設けテープカッター本体の前面において左右移動調節操作が可能で、切替レバーをテープカッター本体前面の中央位置又は左右端の何れかの位置に移動させると前記制止孔に前記制止板の突起が嵌り制止し、切替レバーが中央位置では第１及び第２テープ受はテープに対し直交状態でテープ端の重合形状は四角形状となり切替レバーを左右端の何れかの位置では第１及び第２テープ受はテープに対し非直交状態でテープ端の重合形状は三角形状となり、切替レバーを中央位置より左右端の何れかの方向に移動するにつれテープカットされたテープ端の重合形状は四角形重合から三角形重合の形状となり切替レバーが中央位置より左右端の何れかの間では四角形重合から三角形重合に至る任意の重合形状が得られ、切替レバーを左右何れかの方向に移動するにつれテープ端の左右いずれかの重合部の左右側のいずれかに残る非重合接着面は広くなりテープ端部が剥がれ難くなるテープ端重合カッター。【０００８】前記切替レバーによる制止位置がテープカッター本体前面の中央と左右端と更に中央と左端及び中央と右端の中間に制止位置を設け該制止位置でスライド板が下方向のスライドを係止する凹型のスライド止をスライド板のスライド係止孔上部に有し、テープカットの際スライド板に連動する形成体は制止状態となりテープは非重合形成となって通常のテープカッター同様に一重のテープ端を形成し切替レバー位置が右端より左端において右角重合、一重、全面重合、一重、左角重合の形成が可能なテープ端重合カッター。
【発明の効果】
【０００９】  以上説明したようにこのテープ端重合カッターはテープカッター本体の前面よりテープ端の重合形状の形成が調節できてテープ重合形状は四角形状の全面折返しから三角形状の角折返しに至るまでのテープ端重合が確実に形成可能で、更には通常のテープカッター同様に一重のテープカットもできて、扱い易いくテープ剥離代が連続に簡便且つ迅速に形成できる、優れた効果がある。
【図面の簡単な説明】
【００１０】
【図１】テープカッター本体任意形成型分解斜視図
【図２】テープカッター本体任意形成型外観図
【図３】テープ端全面重合形成の開始状態図
【図４】テープ端全面重合形成の途中状態図
【図５】テープ端全面重合形成の完了状態図
【図６】テープ端右角重合形成の開始状態図
【図７】テープ端右角重合形成の途中状態図
【図８】テープ端右角重合形成の完了状態図
【図９】テープ端左角重合形成の開始状態図
【図１０】テープ端左角重合形成の途中状態図
【図１１】テープ端左角重合形成の完了状態図
【図１２】テープカッター本体定形成型分解斜視図
【図１３】テープカッター本体定形成型外観図
【図１４】テープ端一重形成の状態図（右側選択）
【図１５】テープ端一重形成の状態図（左側選択）
【図１６】テープ端任意形成重合完成図（右側選択）
【図１７】テープ端任意形成重合完成図（左側選択）
【発明を実施するための形態】
【００１１】  テープ端重合カッターの前後方向の関係はカッター刃６の取付け側を前面として観た状態で説明する。当発明の機能構成について説明すると、前方に有するカッター刃６とスライド板５は一体型でテープカッター本体１の最前側内面と台座１ａの前側面の間にスライド溝１ｄがあって該スライド溝１ｄにスライド板５の上方が嵌り下方が底板１３のガイド溝１３ｂに嵌りスライド板５は上下スライド移動を保持されて、戻しバネ１２がスライド板５のバネ支持ガイド５ｅ及び５ｆに挿入され戻しバネ１２は底板１３のガイド受台１３ａの上面に係止されスライド板５は上方に弾発付勢されている。
【００１２】  スライド板５の後面と接する台座１ａの上平面にはテープ重合を形成するための形成支持体３と形成体４と固定軸７があり形成支持体３には第１テープ受３ｃを有し、形成体４の回転軸穴４ａに固定軸７が挿入され固定軸７の両端は形成支持体３の軸固定穴３ａに嵌合固定されて、形成体４の前方に設けたピニオン部４ｄとスライド板５の後面側の上方に設けたラック部５ａが噛合い連動していて、形成体４に設けた第２テープ受４ｂは第１テープ受３ｃに平行でカッター刃６と第１テープ受３ｃの間を前後回転往来移動する。
【００１３】  第１テープ受３ｃ及び第２テープ受４ｂの上面はテープ端の貼付面であって、第１テープ受３ｃの上面形状は長方形の両端部分を後方向に４５°折り曲げた〔形状で左右対称形をなし前方の辺の長さがテープ幅程になっていて前後２辺間の間隔は２〜４ｍｍ程になっている。第２テープ受４ｂの上面形状は等脚台形をなし平行する２辺間は２〜３ｍｍ程であって２辺のうち短い辺が前方になっていて等脚台形の不平行な辺との交角（等脚台形の内角）は１３５°をなしている。
【００１４】  形成支持体３の受台３ｅの下方側には嵌合軸３ｄを有していて台座１ａの中央には嵌合軸３ｄを回転自在に保持する支持穴１ｂが有って嵌合軸３ｄの先端は支持穴１ｂを貫けて台座１ａ裏面下方に設けた位置決台２の中央の嵌孔２ａに嵌止固定され、嵌合軸３ｄを中心として位置決台２を回動させる位置決軸８があって、位置決台２と一体となった形成支持体３の角度を可変するために調整バネ９が角棒状の前記位置決軸８の先端より挿入され後端部で係止され、位置決軸８の先端は位置決台２の下部に有する水平な角穴状のガイド穴２ｂを貫通してスライド板５の中央部に設けたスライド係止孔５ｂを貫けて更にテープカッター本体１の最前面にある左右に弓長状の調節穴１ｃを貫けて切替レバー１０に嵌合固定される。切替レバー１０の操作により形成支持体３の嵌合軸３ｄを中心に台座１ａの上面を左右に９０°程の範囲で回動するとき形成体４のピニオン部４ｄは円弧軌跡を画く円弧状のピニオン形状になっていて、この円弧に沿うようにカッター刃６と一体となったスライド板５のラック部５ａも円弧形状をなしている。
【００１５】任意形成型のテープ重合カッターの機能構成について説明すると、図１〜図１１に示すように重合形状が四角形から三角形に至る任意の形状を形成できて、調節穴１ｃの左右端間の中央はテープカッター本体１の前面左右中心位置で切替レバー１０を左右に移動することで位置決台２及び形成支持体３が左右端間を９０°回転して動き、切替レバー１０が調節穴１ｃの中央位置と左右端位置で形成支持体３を制止するために制止孔２ｃが位置決台２の側部に設けてあり、台座１ａの細長い固定穴１ｅに弾性体を成す制止板１１の上方が嵌止されていて制止板１１の端部に設けた突起１１ａが制止孔２ｃに嵌ることで位置決台２が定位置で確実に制止するようになっている。
【００１６】  切替レバー１０が調節穴１ｃの中央位置ではカッター刃６に対し第１テープ受３ｃの傾きは平行で０°、右端位置ではカッター刃６に対し右に４５°、左端位置ではカッター刃６に対し左に４５°のそれぞれに切り替わり、カッター刃６に対し第１テープ受３ｃの傾きが０°から左右いずれか４５°の間においては任意の角度位置となる。
スライド板５の上下スライド範囲に対してはスライド板５の上端位置はスライド板５の中央の四角形状を成すスライド係止孔５ｂの下端に位置決軸８の下端が当接係止した位置となり、スライド板の下端位置はスライド係止孔５ｂの上端に位置決軸８の上端が当接する位置となって切替レバー１０の左右移動の全範囲においてスライド板５の上下スライド範囲は等しい。切替レバー１０位置によるテープ重合形成の形状は中央位置で全重合、右端位置で右角重合、左端位置で左角重合となり、切替レバー１０が中央と左右端間の位置のそれぞれの角度内においては制止位置を有さない任意重合となる。
【００１７】定形成型のテープ重合カッターの構成について図１２〜図１５を基に説明すると、位置決台２に制止孔２ｃが中央位置と左右端位置のそれぞれと更に中央位置と左右端位置の間にも有していて、スライド板５のスライド係止孔５ｂの上端にスライド止５ｃ及び５ｄを有していて、スライド係止孔５ｂは山形状を成し切替レバー１０が上記中央位置と左右端位置の間の何れかにある状態では位置決軸８の下面側がスライド係止孔５ｂの下端と係止すると共に位置決軸８の上面側がスライド止５ｃ、又はスライド止５ｄの下端に当接係止して位置決軸８は上下方向に挟止された状態となってスライド板５はスライド移動不可となり、スライド板５と一体であるカッター刃６は上端位置に留めていて、定形成型のテープ端重合カッターではテープ端の形状は切替レバーが中央位置で全重合、右端位置で右角重合、左端位置で左角重合、中央位置と左右端位置のそれぞれの間では一重の形成となる。
【００１８】  次に任意形成型のテープ重合カッターにおけるテープ端重合形成の操作方法、及び作動状態を説明すると、図２に示す様にテープカッター本体１の前面にある調節穴１ｃの上側右端より左端までを「右角」、「全」、「左角」の順に銘記表示１４されていて切替レバー１０はこれら銘記位置に制止して、各位置におけるテープ端の形状について、「右角」はテープ端右角重合、「全」はテープ端全面重合、「左角」はテープ端左角重合を意味する。
【００１９】  図３〜図５示すように、切替レバー１０を中央の「全」位置に合わせると形成支持体３の第１テープ受３ｃはカッター刃６に対し平行でテープＴの引き出し方向に対し直交している状態で、テープ切断時にテープＴがカッター刃６に当接する位置ではテープＴは第１テープ受３ｃの上面中央に貼付いてテープを下方に引いていくとカッター刃６は下方にスライド移動すると共に形成体４が回転して第１テープ受３ｃに平行な第２テープ受４ｂが前方に移動を開始しカッター刃６が下限近くまでスライド下降した位置で第２テープ受４ｂはカッター刃６に平行に極接近してテープＴが第２テープ受４ｂの上面中央に貼付くと共にテープ支持部４ｃ上端が第１テープ受３ｃと第２テープ受４ｂの隙間である非接着部のテープ端下面（接着面側）を若干押上げている状態となりカッター刃６がスライド下限位置になると形成体４の回転は止まり図３の様になって、第１テープ受３ｃと第２テープ受４ｂの間は１０ｍｍ程になる。
【００２０】  続けてテープＴを下方向へ引いていくとテープＴはカッター刃６により切断されてカッター刃６は上昇開始すると共に形成体４は後方向に回転して第２テープ受４ｂがカッター刃６より離れテープ端の中間部をテープ支持部４ｃが押上げた位置を頂点としてテープ端は上方向へ湾曲して図４の様な形状となりテープ端はテープ支持部４ｃより離れてカッター刃６が上限に近づくと第２テープ受４ｂは第１テープ受３ｃに極接近して湾曲状のテープ端はテープ接着面が互いに貼り合わさると同時に第２テープ受４ｂに貼付いたテープ端部は剥がれてゆきカッター刃６が上限に達すると第２テープ受４ｂは若干下方向に移動してテープ端部は第２テープ受４ｂから剥離され第１テープ受３ｃの前上側にループ状のテープ重合部Ｔａが図５及び図１６（イ）の様に形成される。
【００２１】  図６〜図８及び図９〜図１１に示すように、切替レバー１０を右端の「右角」位置に合わせた場合及び左端の「左角」位置に合わせた場合とでは操作方向及び動作状態が左右対称であって、形成支持体３の第１テープ受３ｃはカッター刃６に対し４５°傾きテープＴの引き出し方向に対しても４５°をなし、テープ切断時にテープＴがカッター刃６に当接する位置ではテープＴは第１テープ受３ｃの上面の中央より片側に貼付いて、テープＴが下方に引かれるとカッター刃６は下方にスライド移動すると共に形成体４が回転して第２テープ受４ｂは４５°前方に移動を開始しカッター刃が下限近くまでスライド下降した位置で第２テープ受４ｂ上面の等脚台形の不平行な辺とカッター刃６が平行接近してテープＴは第２テープ受４ｂの上面片側に貼付くと共にテープ支持部４ｃの上端が第１テープ受３ｃと第２テープ受４ｂの隙間である非接着部のテープ端下面側（接着面側）を若干押上げている状態となりカッター刃６がスライド下限位置になると形成体４の回転は止まり「右角」位置に合わせた場合は図６の様になり、「左角」位置に合わせた場合は図９の様になって、第１テープ受３ｃと第２テープ受４ｂの間は１０ｍｍ程になる。
【００２２】  続けてテープＴを下方向へ引いていくとテープＴはカッター刃６により切断されてカッター刃６は上昇開始すると共に形成体４は後方向に回転して第２テープ受４ｂがカッター刃６に対し４５°後方へ移動しながら離れテープ支持部４ｃが押上げたテープ端の位置を頂点としてテープ端の先端角部は上方向へ湾曲して図７又は図１０の様な形状となりテープ支持部より離れてカッター刃６が上限に接近すると第２テープ受４ｂが第１テープ受３ｃに極接近し湾曲状のテープ端の先端角部はテープ接着面が互いに貼り合わさると同時に第２テープ受４ｂに接合したテープ先端角部が剥がれはじめカッター刃６が上限に達すると第２テープ受４ｂは若干下方向に移動してテープ端の先端角部は第２テープ受４ｂから剥離され、切替レバー１０を右端の「右角」位置に合わせた場合は第１テープ受３ｃの右前上側に三角形状をなすループ状のテープ端重合部Ｔｒが図８及び図１６（ホ）の様に形成されテープ端重合部Ｔｒの左側面には非重合接着面Ｔｖを残している、切替レバー１０を左端の「左角」位置に合わせた場合は第１テープ受３ｃの左前上側に三角形状をなすループ状のテープ端重合部Ｔｌが図１１及び図１７（リ）の様に形成されテープ端重合部Ｔｌの右側面には非重合接着面Ｔｖを残している。
【００２３】更に切賛レバーが中央の「全」位置から「右角」又は「左角」までの間の任意位置においては任意の重合形成が可能で切替レバーを「全」位置から「右角」又は「左角」位置まで１０°毎に移動してテープ切断するとテープ端形状は図１６の（ロ）、（ハ）、（ニ）又は図１６（ヘ）、（ト）、（チ）の様になりテープ端重合部はそれぞれＴｒ１、Ｔｒ２、Ｔｒ３又はＴｌ１、Ｔｌ２、Ｔｌ３の様になって四角形から三角形へと遷り変ると共にテープ重合部の左側面又は右側面の非重合接着面Ｔｖは徐々に広くなってゆく。
【００２４】  次に定形成型のテープ重合カッターにおけるテープ端重合形成の操作方法、及び作動状態を説明すると、図１３に示す様にテープカッター本体１の前面にある調節穴１ｃの上側右端より左端までを「右角」、「単」、「全」、「単」、「左角」の順に銘記表示１４されていて切替レバー１０はこれら銘記位置に制止して、各位置におけるテープ端の形状について、「右角」はテープ端右角重合、「単」はテープ端一重、「全」はテープ端全面重合、「左角」はテープ端左角重合を意味する。
【００２５】定形成型のテープ重合カッターにおいては切替レバー１０の位置が「右角」「全」、「左角」の各位置では前記任意形成型のテープ重合カッターの操作方法、及び作動状態［００２１］〜［００２３］と同様で、切替レバー１０を「全」位置に合わせた場合にはテープ端の全面重合部Ｔａが図１６（イ）或は図１７（イ）の様に形成され、「右角」位置に合わせた場合にはテープ端の右角重合部Ｔｒが図１６（ホ）の様に形成され、「左角」位置に合わせた場合にはテープ端の左角重合部Ｔｌが図１７（リ）の様に形成される。
【００２６】  図１４〜図１５に示すように、切替レバー１０を「全」と「左角」の中間位置、及び「全」と「右角」の中間位置の「単」に合わせた場合はそれぞれの操作方向及び動作状態が全て左右対称であってカッター刃６に対し第１テープ受３ｃは左右にそれぞれ２２．５°をなしテープをカッター刃６に当てた位置で第１テープ受３ｃにテープＴが接合しテープＴをカッター刃６に当て下方に引いてもカッター刃６は下方向の移動を係止されて固定状態となり形成体４は否作動となって通常のテープカッターと同様の扱いとなり、テープＴを更に下方に引くとテープＴは通常のテープカッターと同様に一重のテープ片として切断される。
【符号の説明】
【００２７】１      テープカッター本体
１ａ    台座
１ｂ    支持穴
１ｃ    調節穴
１ｄ    スライド溝
１ｅ    固定穴
２      位置決台
２ａ    嵌孔
２ｂ    ガイド穴
２ｃ    制止孔
３      形成支持体
３ａ    軸固定穴
３ｂ    軸固定穴
３ｃ    第１テープ受
３ｄ    嵌合軸
３ｅ    受台
４      形成体
４ａ    回転軸穴
４ｂ    第２テープ受
４ｃ    テープ支持部
４ｄ    ピニオン部
５      スライド板
５ａ    ラック部
５ｂ    スライド係止孔
５ｃ    スライド止
５ｄ    スライド止
５ｅ    バネ支持ガイド
５ｆ    バネ支持ガイド
５ｇ    カッター固定孔
６      カッター刃
６ａ    カッター固定部
７      固定軸
８      位置決軸
９      調整バネ
１０    切替レバー
１１    制止板
１１ａ  突起
１２    戻しバネ
１３    底板
１３ａ  ガイド受台
１３ｂ  ガイド溝
１４    銘記表示
Ｔ      テープ
Ｔａ    全面重合部
Ｔｌ    左角重合部
Ｔｌ１  左側任意重合部
Ｔｌ２  左側任意重合部
Ｔｌ３  左側任意重合部
Ｔｒ    右角重合部
Ｔｒ１  右側任意重合部
Ｔｒ２  右側任意重合部
Ｔｒ３  右側任意重合部
Ｔｖ    非重合接着面
Ｒ      リール
【手続補正２】
【補正対象書類名】特許請求の範囲
【補正対象項目名】全文
【補正方法】変更
【補正の内容】
【特許請求の範囲】
【請求項１】
テープカッター本体の前面に接近した位置にカッター刃があり該カッター刃は上下移動自在で弾性体により常時上方向に付勢されていてカッター刃後方に台座を有し前記台座の上側平面に第１テープ受と第２テープ受を設け前記第１テープ受は固定されていて前記第２テープ受は前記カッター刃の上下移動に連動してカッター刃と第２テープ受の間を前後移動可能になっていて当初第２テープ受は第１テープ受の直前にあって、テープがカッター刃に当接するとカッター刃は弾性体の弾発に対向して下方に押され移動し第２テープ受は第１テープ受より離れてカッター刃に接近移動し第１テープ受と第２テープ受の間隙が広がり第１及び第２テープ受にテープ接着面が貼付くと第１及び第２テープ受の間隙には無接着テープ部ができて、テープ切断されるとカッター刃はテープの押圧より解放され弾性体の反発で瞬時上昇すると共に第２テープ受はテープカットラインを先端としてテープが接合維持した状態で瞬時にカッター刃より離れて固定されている第１テープ受に接近移動して前記無接着テープ部が第１テープ受と第２テープ受の間の上部、又は第２テープ受前上部に湾曲することでテープ端の接着面が互いに接合してループ形状のテープ端重合部が剥離代として形成されるテープ端重合カッター。
【請求項２】
前記カッター刃の下方側にカッター刃と一体となって上下方向に移動可能なスライド板を設け前記スライド板は戻しバネにより上方向に弾発付勢されていてスライド板の後面側にはラック部が設けてあり、前記第２テープ受はピニオン部を有する形成体に設けられて前記ラック部と前記ピニオン部が噛合って連動し前記形成体は固定軸に支持され、テープをカッター刃に当接させて下方に引くと前記戻しバネの弾発に押圧対抗しながら前記スライド板が下方向に移動し、第２テープ受が前方向に回転移動しながらカッター刃に接近し、テープが切断されるとスライド板の押圧が開放されて前記バネの弾発でスライド板は戻されて瞬時に上方向に移動すると共に第２テープ受は後方向に回転移動して第１テープ受に接近しテープ端部が第１テープ受と第２テープ受の間の上部、又は第２テープ受前上部に湾曲することでテープ端の接着面が互いに接合してループ形状のテープ端重合部が形成されることを特徴とする請求項１記載のテープ端重合カッター。
【請求項３】
前記形成体の第２テープ受に平行後方にテープ支持部を設け、前記第１テープ受と第２テープ受の隙間に有する前記無接着テープ部であるテープ端のテープ面中央位置のテープ接着面側を前記テープ支持部が若干押し上げ支持されて無接着テープ部が下方に垂れ下がることを防ぎ、テープ端が湾曲形状の状態から接着面の互いが重なる過程で、第１テープ受と第２テープ受の間に存在するテープ支持部は下方向に回転移動し第１テープ受と第２テープ受の間より脱することで第２テープ受は第１テープ受に接近することが可能となり、テープ端重合のループ形状が第１テープ受と第２テープ受の上部、又は第１テープ受の前上部に確実に形成されることを特徴とする請求項２記載のテープ端重合カッター。
【請求項４】
前記形成体と前記固定軸を前記第２テープ受と固定軸を支持する支持部を有した形成支持体の上に設けて前記形成支持体を前記台座の中央上部に平面設置して形成支持体の中央下部の下方向に嵌合軸を有し該嵌合軸は台座を貫通して台座の下方側に設けた位置決台に嵌合固定され嵌合軸を基に位置決台は回転自在で、該位置決台に位置決台を回転させるための切替レバーを設けテープカッター本体の前面より位置決台を回転操作できて切替レバーがテープカッター本体の前面中央及び左右端位置で制止できる制止機構を備え、切替レバーがテープカッター本体の前面中央位置ではテープに対し前記第１テープ受及び前記第２テープ受は直交状態でテープ端の重合形状は四角形状となり切替レバーを左右端の何れかの方向に移動するとテープに対し前記第１テープ受及び前記第２テープ受は非直交状態でテープ端の重合形状は三角形状となり、切替レバーを中央位置より左右端の何れかの方向に移動するにつれテープカットされたテープ端の重合形状は四角形重合から三角形重合の形状となり切替レバーが中央位置より左右端の何れかの間では四角形重合から三角形重合に至る任意の重合形状が得られ、切替レバーを左右何れかの方向に移動するにつれテープ端の左右いずれかの重合部の左右側のいずれかに残る非重合接着面は広くなりテープ端部が剥がれ難くなることを特徴とする請求項２又は請求項３のいずれか一つに記載のテープ端重合カッター。
【請求項５】
前記切替レバーによる前記位置決台の制止位置がテープカッター本体前面の中央と左右端と更に中央と左端及び中央と右端の中間に制止位置を設け該制止位置でスライド板が下方向へのスライドを係止するための凹型のスライド止をスライド板のスライド係止孔上部に設け、テープカットの際スライド板に連動する形成体は不動となりテープは非重合形成となって通常のテープカッター同様に一重のテープ端の形成となり、各制止位置でのテープ端の重合形状は切替レバー位置が右端より左端までにおいて右角重合、一重、全面重合、一重、左角重合の各形状形成ができることを特徴とする請求項４記載のテープ端重合カッター。
【手続補正３】
【補正対象書類名】図面
【補正対象項目名】全図
【補正方法】変更
【補正の内容】
【図１】
2012201508.tif 000017
【図２】
2012201508.tif 000018
【図３】
2012201508.tif 000019
【図４】
2012201508.tif 000020
【図５】
2012201508.tif 000021
【図６】
2012201508.tif 000022
【図７】
2012201508.tif 000023
【図８】
2012201508.tif 000024
【図９】
2012201508.tif 000025
【図１０】
2012201508.tif 000026
【図１１】
2012201508.tif 000027
【図１２】
2012201508.tif 000028
【図１３】
2012201508.tif 000029
【図１４】
2012201508.tif 000030
【図１５】
2012201508.tif 000031
【図１６】
2012201508.tif 000032
【図１７】
2012201508.tif 000033
【手続補正書】
【提出日】平成24年3月31日(2012.3.31)
【手続補正１】
【補正対象書類名】明細書
【補正対象項目名】全文
【補正方法】変更
【補正の内容】
【発明の詳細な説明】
【技術分野】
【０００１】
本発明は貼り付けた接着テープを容易にはがせるようにテープカット後にテープ端部が折り返されて接着面側が互いに重合することで剥離代としての非接着部分を形成することができ、テープ端の折り返し形状はテープカットラインに平行な全面折り返しと、テープ端の左右のそれぞれの角部に対する左角折り返し及び右角折り返しがあり、更に通常のテープカッター同様の折り返し無しのテープ切断もできるテープ端重合カッターに関するものである。
【背景技術】
【０００２】
従来一般的なテープカッターは、テープ切断刃を設けたテープカッター本体にロール状の接着テープを装填する回転リールとから構成されている。
このようなテープカッターでカットされた接着テープ片は、そのテープ片全体が接着対象物に貼着されるため、貼着されたテープの剥離が甚だ困難である。このため貼着後に剥離が予定されている場合、テープ端に紙テープ片を貼り合わせることで接着不能な非接着部分としての剥離代を形成するようにしたテープカッターが提案されているが、紙テープの送り機構を設けることで複雑化を伴うと共に、接着テープの他に紙テープも装填することになり手間や費用もかかることになる。
他方、接着テープの端部を若干接着面側に折り返し貼り合わせることにより非接着部分を形成するようにしたテープカッターが提案されているが、半ば手動式となり作業性が悪く剥離代の製作に困難を伴う。そこで、例えば、特開２００３−０８９４６６号公報に開示されているように、切断後の接着テープ端が折り返されて接着面を互いに重合させる方式として簡便かつ迅速に非接着部分を形成することのできるテープカッターが提案されている。
【発明の概要】
【発明が解決しようとする課題】
【０００３】
しかしながら上記公報所載のテープカッターは、テープ端の折り返し重合による非接着部分の形成が不確実であること、及び形成された非接着部分を掴んでテープを引き出すときに指先等が切断刃に触れ易いという不具合がある。前記非接着部分の形成が不確実である理由としてテープを引き出してテープを弾性板上部の第２のテープ受部に接触させた状態で手前に引っ張り弾性板を湾曲させながら切断刃に押し当てテープ切断する操作は常に動きを意識しながらの操作であるために作業性が悪い、又テープカットされて第２のテープ受部が戻るとき第１のテープ受部と第２のテープ受部との間の非接着形成部分が自重で垂れて下方向に折り曲がりテープ重合形成ができない状態が発生し、更にはテープを引き出す力と切断力との関係で第２のテープ受を所定位置まで引き終える以前にテープが切断される不具合もある。
本発明は上記のような従来技術の問題点を解決すると共に、テープ端形状形成が切替ツマミを操作することでテープ端の重合形状がテープカットラインに平行な全面重合形成、及びテープカットラインに不平行な角部重合形成されることを可能にするもので、切断後の接着テープの端部を自動的に折り返して接着面側を互いに貼り合せることで接着テープ端部に剥離代としての非接着部分を容易に迅速且つ確実に又安全にテープ端重合形成されたテープ片を得ることができるテープ端重合カッターを提供することを目的とするものである。
【課題を解決するための手段】
【０００４】
本発明はテープカッター本体の前面に近接した位置の左右間にカッター刃を設け、該カッター刃は上下移動自在で弾性体により上方向に付勢されていてカッター刃の後方の台座上に第１テープ受と第２テープ受を設けていて該第１テープ受はテープカッター本体の左右間に固設され、前記第２テープ受は前記カッター刃に連動していて第１テープ受に平行で前記カッター刃と第１テープ受の間を前後移動可能になっていて、当初第２テープ受は第１テープ受の直前にあって、テープをカッター刃に当接し押圧することでカッター刃は弾性体の弾発に対向して下方に押され移動しカッター刃に連動する第２テープ受が前方に移動し、第２テープ受は第１テープ受から離れ第１テープ受と第２テープ受の間隔が広がり、カッター刃に第２テープ受が最接近した位置でテープは第１テープ受の上面に貼付き続いて第２テープ受の上面に貼付いて第２テープ受と第１テープ受の隙間には無接着テープ部ができカッター刃が下端位置になるとテープが切断され瞬時にカッター刃がテープの押圧から解放されて上昇しカッター刃に連動した第２テープ受が後方に移動して第２テープ受はテープ端のカットラインを先端に第１テープ受に最接近移動し第１テープ受と第２テープ受の間が狭まり前記無接着テープ部は第１テープ受と第２テープ受の間の上部、又は第２テープ受上部後方で撓んで湾曲した形状となり折返されて無接着テープ部の接着面が互いに接合しテープ端にループ形状の重合部が非接着部として形成され剥離代となるテープ端重合カッター。
【０００５】
前記カッター刃の下方にカッター刃と一体となって上下方向に移動可能なスライド板を設け該スライド板の後面の上部にはラックが設けてあり、スライド板の下方はテープカッター本体の底に設けた戻しバネにより上方向に弾発付勢されていて、テープカッター本体の左右間に設けた固定軸を基に前後回転可能で第２テープ受を有する形成体を設け、該形成体の回転方向に設けたピニオンと前記ラックは噛合い連動していて、カッター刃にテープを当接押圧すると前記戻しバネの弾発に対抗しながら前記スライド板が下方向に移動して前記形成体に設けた第２テープ受が前方向に回転移動しながらカッター刃に接近して、スライド板が下端位置になるとテープが切断されてスライド板の押圧が開放されて前記バネの弾発でスライド板は戻されて瞬時に上方向に移動すると共に第２テープ受は逆回転しながら後方の第１テープ受に接近することでテープ端にループ形状の重合部が剥離代として形成される上記テープ端重合カッター。
【０００６】
前記形成体の第２テープ受に平行後方にテープ支持部を設け、前記第１テープ受と第２テープ受の隙間に有する前記無接着テープ部であるテープ端のテープ面中央位置のテープ接着面側を前記テープ支持部が若干押し上げ支持されて無接着テープ部が下方に垂れ下がることを防ぎ、テープ端が湾曲形状の状態から接着面の互いが重なる過程で、第１テープ受と第２テープ受の間に存在するテープ支持部は下方向に回転移動し第１テープ受と第２テープ受の間より脱することで第２テープ受は第１テープ受に接近することが可能となり、テープ端重合のループ形状が第１テープ受と第２テープ受の上部、又は第１テープ受の前上部に確実に形成される上記記載のテープ端重合カッター。
【０００７】
テープカッター本体のカッター刃の後方に平面を有する台座の上面に前記第１テープ受と前記固定軸を支持する軸固定穴を有した形成支持体を設け前記形成体は該形成支持体の上部で固定軸に支持され前後回動自在で形成支持体の下方側の中央下方向には嵌合軸を有し該嵌合軸は台座の中央に設けた支持穴を貫通して前記形成支持体は前記嵌合軸を基に左右回動自在で、更に嵌合軸は形成支持体の左右回動制止位置を決める位置決台に固定され該位置決台と形成支持体は一体として左右回動自在で位置決台に設けた制止孔に台座へ固定されたバネ効果を有する制止板の突起が嵌り係止して形成支持体は制止位置で確実に制止でき、又位置決台に位置決軸を設け該位置決軸がスライド板に設けたスライド係止孔を貫通し更にテープカッター本体前面の調節穴を貫通して位置決軸の先端に切替レバーを設けテープカッター本体の前面において左右移動調節操作が可能で、切替レバーをテープカッター本体前面の中央位置又は左右端の何れかの位置に移動させると前記制止孔に前記制止板の突起が嵌り制止し、切替レバーが中央位置では第１及び第２テープ受はテープに対し直交状態でテープ端の重合形状は四角形状となり切替レバーを左右端の何れかの位置では第１及び第２テープ受はテープに対し非直交状態でテープ端の重合形状は三角形状となりテープ端の角部のみが剥離しろとなることでは四角形状の場合に比較して貼り付きを強めることができるテープ端重合カッター。
【０００８】
前記切替レバーによる制止位置がテープカッター本体前面の中央と左右端と更に中央と左端及び中央と右端の中間に制止位置を設け該制止位置でスライド板が下方向のスライドを係止する凹型のスライド止をスライド板のスライド係止孔上部に有し、テープカットの際スライド板に連動する形成体は制止状態となりテープは非重合形成となって通常のテープカッター同様に一重のテープ端を形成し切替レバー位置が右端より左端において右角重合、一重、全面重合、一重、左角重合の形成が可能なテープ端重合カッター。
【発明の効果】
【０００９】
以上説明したようにこのテープ端重合カッターはテープカッター本体の前面よりテープ端の重合形状の形成が調節できてテープ重合形状は四角形状の全面折返しから三角形状の角折返しに至るまでのテープ端重合が確実に形成可能で、更には通常のテープカッター同様に一重のテープカットもできて、扱い易いくテープ剥離代が連続に簡便且つ迅速に形成できる、優れた効果がある。
【図面の簡単な説明】
【００１０】
【図１】テープカッター本体前方部分解斜視図
【図２】テープカッター本体外観図
【図３】テープ端全面重合形成の開始状態図
【図４】テープ端全面重合形成の中間状態図
【図５】テープ端全面重合形成の完了状態図
【図６】テープ端右角重合形成の開始状態図
【図７】テープ端右角重合形成の中間状態図
【図８】テープ端右角重合形成の完了状態図
【図９】テープ端左角重合形成の開始状態図
【図１０】テープ端左角重合形成の中間状態図
【図１１】テープ端左角重合形成の完了状態図
【図１２】テープ端一重形成の状態図（右側選択）
【図１３】テープ端一重形成の状態図（左側選択）
【図１４】テープ重合完成図
【発明を実施するための形態】
【００１１】
テープ端重合カッターの前後方向の関係はカッター刃６の取付け側を前面として観た状態で説明する。当発明の機能構成について説明すると、前方に有するカッター刃６とスライド板５は一体型でテープカッター本体１の最前側内面と台座１ａの前側面の間にスライド溝１ｄがあって該スライド溝１ｄにスライド板５の上方が嵌り下方が底板１３のガイド溝１３ｂに嵌りスライド板５は上下スライド移動を保持されて、戻しバネ１２がスライド板５のバネ支持ガイド５ｅ及び５ｆに挿入され戻しバネ１２は底板１３のガイド受台１３ａの上面に係止されスライド板５は上方に弾発付勢されている。
【００１２】
スライド板５の後面と接する台座１ａの上平面にはテープ重合を形成するための形成支持体３と形成体４と固定軸７があり形成支持体３には第１テープ受３ｃを有し、形成体４の回転軸穴４ａに固定軸７が挿入され固定軸７の両端は形成支持体３の軸固定穴３ａに嵌合固定されて、形成体４の前方に設けたピニオン部４ｄとスライド板５の後面側の上方に設けたラック部５ａが噛合い連動していて、形成体４に設けた第２テープ受４ｂは第１テープ受３ｃに平行でカッター刃６と第１テープ受３ｃの間を前後回転往来移動する。
【００１３】
第１テープ受３ｃ及び第２テープ受４ｂの上面はテープ端の貼付面であって、第１テープ受３ｃの上面形状は長方形の両端部分を後方向に４５°折り曲げた〔形状で左右対称形をなし前方の辺の長さがテープ幅程になっていて前後２辺間の間隔は２〜４ｍｍ程になっている。第２テープ受４ｂの上面形状は等脚台形をなし平行する２辺間は２〜３ｍｍ程であって２辺のうち短い辺が前方になっていて等脚台形の不平行な辺との交角（等脚台形の内角）は１３５°をなしている。
【００１４】
形成支持体３の受台３ｅの下方側には嵌合軸３ｄを有していて台座１ａの中央には嵌合軸３ｄを回転自在に保持する支持穴１ｂが有って嵌合軸３ｄの先端は支持穴１ｂを貫けて台座１ａ裏面下方に設けた位置決台２の中央の嵌孔２ａに嵌止固定され、嵌合軸３ｄを中心として位置決台２を回動させる位置決軸８があって、位置決台２と一体となった形成支持体３の角度を可変するために調整バネ９が角棒状の前記位置決軸８の先端より挿入され後端部で係止され、位置決軸８の先端は位置決台２の下部に有する水平な角穴状のガイド穴２ｂを貫通してスライド板５の中央部に設けたスライド係止孔５ｂを貫けて更にテープカッター本体１の最前面にある左右に弓長状の調節穴１ｃを貫けて切替レバー１０に嵌合固定される。切替レバー１０の操作により形成支持体３の嵌合軸３ｄを中心に台座１ａの上面を左右に９０°程の範囲で回動するとき形成体４のピニオン部４ｄは円弧軌跡を画く円弧状のピ二オン形状になっていて、この円弧に沿うようにカッター刃６と一体となったスライド板５のラック部５ａも円弧形状をなしている。
【００１５】
機能構成について説明すると、図１〜図１１に示すように重合形状が四角形から三角形に至る形状を形成できて、調節穴１ｃの左右端間の中央はテープカッター本体１の前面左右中心位置で切替レバー１０を左右に移動することで位置決台２及び形成支持体３が左右端間を９０°回転して動き、切替レバー１０が調節穴１ｃの中央位置と左右端位置で形成支持体３を制止するために制止孔２ｃが位置決台２の側部に設けてあり、台座１ａの細長い固定穴１ｅに弾性体を成す制止板１１の上方が嵌止されていて制止板１１の端部に設けた突起１１ａが制止孔２ｃに嵌ることで位置決台２が定位置で確実に制止するようになっている。
【００１６】
切替レバー１０が調節穴１ｃの中央位置ではカッター刃６に対し第１テープ受３ｃの傾きは平行で０°、右端位置ではカッター刃６に対し右に４５°、左端位置ではカッター刃６に対し左に４５°のそれぞれに切り替わり、スライド板５の上下スライド範囲に対してはスライド板５の上端位置はスライド板５の中央の四角形状を成すスライド係止孔５ｂの下端に位置決軸８の下端が当接係止した位置となり、スライド板の下端位置はスライド係止孔５ｂの上端に位置決軸８の上端が当接する位置となって切替レバー１０位置によるテープ重合形成の形状は中央位置で全重合、右端位置で右角重合、左端位置で左角重合となる。
【００１７】
更に位置決台２には制止孔２ｃが中央位置と左右端位置の間にも有していて、スライド板５のスライド係止孔５ｂの上端にスライド止５ｃ及び５ｄを有していて、スライド係止孔５ｂは山形状を成し切替レバー１０が上記中央位置と左右端位置の間の何れかにある状態では位置決軸８の下面側がスライド係止孔５ｂの下端と係止すると共に位置決軸８の上面側がスライド止５ｃ、又はスライド止５ｄの下端に当接係止して位置決軸８は上下方向に挟止された状態となってスライド板５はスライド移動不可となり、スライド板５と一体であるカッター刃６は上端位置に留めていて、テープ端の形状は中央位置と左右端位置のそれぞれの間では一重の形成となる。
【００１８】
次にテープ端重合カッターにおけるテープ端重合形成の操作方法、及び作動状態を説明すると、図２に示す様にテープカッター本体１の前面にある調節穴１ｃの上側右端より左端までを「右角」、「単」、「全」、「単」、「左角」の順に銘記表示１４されていて切替レバー１０はこれら銘記位置に制止して、各位置におけるテープ端の形状について、「右角」はテープ端右角重合、「単」はテープ端一重、「全」はテープ端全面重合、「左角」はテープ端左角重合を意味する。
【００１９】
図３〜図５示すように、切替レバー１０を中央の「全」位置に合わせると形成支持体３の第１テープ受３ｃはカッター刃６に対し平行でテープＴの引き出し方向に対し直交している状態で、テープ切断時にテープＴがカッター刃６に当接する位置ではテープＴは第１テープ受３ｃの上面中央に貼付いてテープを下方に引いていくとカッター刃６は下方にスライド移動すると共に形成体４が回転して第１テープ受３ｃに平行な第２テープ受４ｂが前方に移動を開始しカッター刃６が下限近くまでスライド下降した位置で第２テープ受４ｂはカッター刃６に平行に極接近してテープＴが第２テープ受４ｂの上面中央に貼付くと共にテープ支持部４ｃ上端が第１テープ受３ｃと第２テープ受４ｂの隙間である非接着部のテープ端下面（接着面側）を若干押上げている状態となりカッター刃６がスライド下限位置になると形成体４の回転は止まり図３の様になって、第１テープ受３ｃと第２テープ受４ｂの間は１０ｍｍ程になる。
【００２０】
続けてテープＴを下方向へ引いていくとテープＴはカッター刃６により切断されてカッター刃６は上昇開始すると共に形成体４は後方向に回転して第２テープ受４ｂがカッター刃６より離れテープ端の中間部をテープ支持部４ｃが押上げた位置を頂点としてテープ端は上方向へ湾曲して図４の様な形状となりテープ端はテープ支持部４ｃより離れてカッター刃６が上限に近づくと第２テープ受４ｂは第１テープ受３ｃに極接近して湾曲状のテープ端はテープ接着面が互いに貼り合わさると同時に第２テープ受４ｂに貼付いたテープ端部は剥がれてゆきカッター刃６が上限に達すると第２テープ受４ｂは若干下方向に移動してテープ端部は第２テープ受４ｂから剥離され第１テープ受３ｃの前上側にループ状のテープ重合部Ｔａが図５及び図１４（イ）の様に形成される。
【００２１】
図６〜図８及び図９〜図１１に示すように、切替レバー１０を右端の「右角」位置に合わせた場合及び左端の「左角」位置に合わせた場合とでは操作方向及び動作状態が左右対称であって、形成支持体３の第１テープ受３ｃはカッター刃６に対し４５°傾きテープＴの引き出し方向に対しても４５°をなし、テープ切断時にテープＴがカッター刃６に当接する位置ではテープＴは第１テープ受３ｃの上面の中央より片側に貼付いて、テープＴが下方に引かれるとカッター刃６は下方にスライド移動すると共に形成体４が回転して第２テープ受４ｂは４５°前方に移動を開始しカッター刃が下限近くまでスライド下降した位置で第２テープ受４ｂ上面の等脚台形の不平行な辺がカッター刃６に平行接近してテープＴは第２テープ受４ｂの上面片側に貼付くと共にテープ支持部４ｃの上端が第１テープ受３ｃと第２テープ受４ｂの隙間にある非接着部のテープ端下面側（接着面側）を若干押上げている状態となりカッター刃６がスライド下限位置になると形成体４の回転は止まり「右角」位置に合わせた場合は図６の様になり、「左角」位置に合わせた場合は図９の様になって、第１テープ受３ｃと第２テープ受４ｂの間は１０ｍｍ程になる。
【００２２】
続けてテープＴを下方向へ引いていくとテープＴはカッター刃６により切断されてカッター刃６は上昇開始すると共に形成体４は後方向に回転して第２テープ受４ｂがカッター刃６に対し４５°後方へ移動しながら離れテープ支持部４ｃが押上げたテープ端の位置を頂点としてテープ端の先端角部は上方向へ湾曲して図７又は図１０の様な形状となりテープ支持部より離れてカッター刃６が上限に接近すると第２テープ受４ｂが第１テープ受３ｃに極接近し湾曲状のテープ端の先端角部はテープ接着面が互いに貼り合わさると同時に第２テープ受４ｂに接合したテープ先端角部が剥がれはじめカッター刃６が上限に達すると第２テープ受４ｂは若干下方向に移動してテープ端の先端角部は第２テープ受４ｂから剥離され、切替レバー１０を右端の「右角」位置に合わせた場合は第１テープ受３ｃの右前上側に三角形状をなすループ状のテープ端重合部Ｔｒが図８及び図１４（ロ）の様に形成され、切替レバー１０を左端の「左角」位置に合わせた場合は第１テープ受３ｃの左前上側に三角形状をなすループ状のテープ端重合部Ｔｌが図１１及び図１４（ハ）の様に形成される。
【００２３】
図１４〜図１５に示すように、切替レバー１０を「全」と「左角」の中間位置、及び「全」と「右角」の中間位置の「単」に合わせた場合はそれぞれの操作方向及び動作状態が全て左右対称であってカッター刃６に対し第１テープ受３ｃは左右にそれぞれ２２.５°をなしテープをカッター刃６に当てた位置で第１テープ受３ｃにテープＴが接合しテープＴをカッター刃６に当て下方に引いてもカッター刃６は下方向の移動を係止されて固定状態となり形成体４は否作動となって通常のテープカッターと同様の扱いとなり、テープＴを更に下方に引くとテープＴは通常のテープカッターと同様に一重のテープ片として切断される。
【符号の説明】
【００２４】
１      テープカッター本体
１ａ    台座
１ｂ    支持穴
１ｃ    調節穴
１ｄ    スライド溝
１ｅ    固定穴
２      位置決台
２ａ    嵌孔
２ｂ    ガイド穴
２ｃ    制止孔
３      形成支持体
３ａ    軸固定穴
３ｂ    軸固定穴
３ｃ    第１テープ受
３ｄ    嵌合軸
３ｅ    受台
４      形成体
４ａ    回転軸穴
４ｂ    第２テープ受
４ｃ    テープ支持部
４ｄ    ピニオン部
５      スライド板
５ａ    ラック部
５ｂ    スライド係止孔
５ｃ    スライド止
５ｄ    スライド止
５ｅ    バネ支持ガイド
５ｆ    バネ支持ガイド
５ｇ    カッター固定孔
６      カッター刃
６ａ    カッター固定部
７      固定軸
８      位置決軸
９      調整バネ
１０    切替レバー
１１    制止板
１１ａ  突起
１２    戻しバネ
１３    底板
１３ａ  ガイド受台
１３ｂ  ガイド溝
１４    銘記表示
Ｔ      テープ 
Ｔａ    全面重合部
Ｔｌ    左角重合部
Ｔｒ    右角重合部
Ｒ      リール
【手続補正２】
【補正対象書類名】特許請求の範囲
【補正対象項目名】全文
【補正方法】変更
【補正の内容】
【特許請求の範囲】
【請求項１】
テープカッター本体の前面に接近した位置にカッター刃があり該カッター刃は上下移動自在で弾性体により常時上方向に付勢されていてカッター刃後方に台座を有し前記台座の上側平面に第１テープ受と第２テープ受を設け前記第１テープ受は固定されていて前記第２テープ受は前記カッター刃の上下移動に連動してカッター刃と第１テープ受の間を前後移動可能になっていて当初第２テープ受は第１テープ受の直前にあって、テープがカッター刃に当接するとカッター刃は弾性体の弾発に対向して下方に押され移動し第２テープ受は第１テープ受より離れてカッター刃に接近移動し第１テープ受と第２テープ受の間隙が広がり第１及び第２テープ受にテープ接着面が貼付くと第１及び第２テープ受の間隙には無接着テープ部ができて、テープ切断されるとカッター刃はテープの押圧より解放され弾性体の反発で瞬時上昇すると共に第２テープ受はテープカットラインを先端としてテープが接合維持した状態で瞬時にカッター刃より離れて固定されている第１テープ受に接近移動して前記無接着テープ部が第１テープ受と第２テープ受の間の上部、又は第２テープ受前上部に湾曲することでテープ端の接着面が互いに接合してループ形状のテープ端重合部が剥離代として形成されるテープ端重合カッター。
【請求項２】
前記カッター刃の下方側にカッター刃と一体となって上下方向に移動可能なスライド板を設け前記スライド板は戻しバネにより上方向に弾発付勢されていてスライド板の後面側にはラック部が設けてあり、前記第２テープ受はピニオン部を有する形成体に設けられて前記ラック部と前記ピニオン部が噛合って連動し前記形成体は固定軸に支持され、テープをカッター刃に当接させて下方に引くと前記戻しバネの弾発に押圧対抗しながら前記スライド板が下方向に移動し、第２テープ受が前方向に回転移動しながらカッター刃に接近し、テープが切断されるとスライド板の押圧が開放されて前記バネの弾発でスライド板は戻されて瞬時に上方向に移動すると共に第２テープ受は後方向に回転移動して第１テープ受に接近しテープ端部が第１テープ受と第２テープ受の間の上部、又は第２テープ受前上部に湾曲することでテープ端の接着面が互いに接合してループ形状のテープ端重合部が形成されることを特徴とする請求項１記載のテープ端重合カッター。
【請求項３】
前記形成体の第２テープ受に平行後方にテープ支持部を設け、前記第１テープ受と第２テープ受の隙間に有する前記無接着テープ部であるテープ端のテープ面中央位置のテープ接着面側を前記テープ支持部が若干押し上げ支持されて無接着テープ部が下方に垂れ下がることを防ぎ、テープ端が湾曲形状の状態から接着面の互いが重なる過程で、第１テープ受と第２テープ受の間に存在するテープ支持部は下方向に回転移動し第１テープ受と第２テープ受の間より脱することで第２テープ受は第１テープ受に接近することが可能となり、テープ端重合のループ形状が第１テープ受と第２テープ受の上部、又は第１テープ受の前上部に確実に形成されることを特徴とする請求項２記載のテープ端重合カッター。
【請求項４】
前記形成体と前記固定軸を前記第２テープ受と固定軸を支持する支持部を有した形成支持体の上に設けて前記形成支持体を前記台座の中央上部に平面設置して形成支持体の中央下部の下方向に嵌合軸を有し該嵌合軸は台座を貫通して台座の下方側に設けた位置決台に嵌合固定され嵌合軸を基に位置決台は回転自在で、該位置決台に位置決台を回転させるための切替レバーを設けテープカッター本体の前面より位置決台を回転操作できて切替レバーがテープカッター本体の前面中央及び左右端位置で制止できる制止機構を備え、切替レバーがテープカッター本体の前面中央位置ではテープに対し前記第１テープ受及び前記第２テープ受は直交状態でテープ端の重合形状は四角形状となり切替レバーを左右端の何れかの方向に移動するとテープに対し前記第１テープ受及び前記第２テープ受は非直交状態でテープ端の重合形状は三角形状となることを特徴とする請求項２又は請求項３のいずれか一つに記載のテープ端重合カッター。
【請求項５】
前記切替レバーによる前記位置決台の制止位置がテープカッター本体前面の中央と左右端と更に中央と左端及び中央と右端の中間に制止位置を設け該制止位置でスライド板が下方向へのスライドを係止するための凹型のスライド止をスライド板のスライド係止孔上部に設け、テープカットの際スライド板に連動する形成体は不動となりテープは非重合形成となって通常のテープカッター同様に一重のテープ端の形成となり、各制止位置でのテープ端の重合形状は切替レバー位置が右端より左端までにおいて右角重合、一重、全面重合、一重、左角重合の各形状形成ができることを特徴とする請求項４記載のテープ端重合カッター。
【手続補正３】
【補正対象書類名】図面
【補正対象項目名】全図
【補正方法】変更
【補正の内容】
【図１】
2012201508.tif 000034
【図２】
2012201508.tif 000035
【図３】
2012201508.tif 000036
【図４】
2012201508.tif 000037
【図５】
2012201508.tif 000038
【図６】
2012201508.tif 000039
【図７】
2012201508.tif 000040
【図８】
2012201508.tif 000041
【図９】
2012201508.tif 000042
【図１０】
2012201508.tif 000043
【図１１】
2012201508.tif 000044
【図１２】
2012201508.tif 000045
【図１３】
2012201508.tif 000046
【図１４】
2012201508.tif 000047